【手続補正書】
【提出日】平成16年4月1日(2004.4.1)
【手続補正１】
【補正対象書類名】明細書
【補正対象項目名】発明の名称
【補正方法】変更
【補正の内容】
【発明の名称】ＡＳＩＣ及び画像形成装置


【手続補正２】
【補正対象書類名】明細書
【補正対象項目名】特許請求の範囲
【補正方法】変更
【補正の内容】
【特許請求の範囲】
【請求項１】
ブロック毎に処理が完結して実行される論理ブロックから構成されるＡＳＩＣであって、
前記論理ブロックに接続されるプログラム可能な変更可能ブロックと、
前記論理ブロックの入力端子、及び変更可能ブロックの入力端子に個別に接続され、入力された入力信号を選択して前記入力端子に出力するセレクタ回路と、
前記セレクタ回路に接続され、当該セレクタ回路の出力を選択的に制御する切り替え制御手段と、
を備えることを特徴とするＡＳＩＣ。
【請求項２】
前記切り替え制御手段は、前記論理ブロックと前記変更可能ブロックを置き換え可能に前記セレクタ回路を制御することを特徴とする請求項１記載のＡＳＩＣ。
【請求項３】
前記切り替え制御手段は、前記論理ブロックの前、後、または間のうちいずれかに前記変更可能ブロックを挿入可能に前記セレクタ回路を制御することを特徴とする請求項１または２記載のＡＳＩＣ。
【請求項４】
前記切り替え制御手段は、前記論理ブロックの接続順序を入れ替え可能に前記セレクタ回路を制御することを特徴とする請求項１から３のいずれかに記載のＡＳＩＣ。
【請求項５】
前記変更可能ブロックは、前記論理ブロックと同程度の規模であることを特徴とする請求項１から３のいずれかに記載のＡＳＩＣ。
【請求項６】
ブロック毎に処理が完結して実行される論理ブロックから構成されるＡＳＩＣを備える画像形成装置であって、
前記ＡＳＩＣは、
前記論理ブロックに接続されるプログラム可能な変更可能ブロックと、
前記論理ブロックの入力端子、及び変更可能ブロックの入力端子に個別に接続され、入力された入力信号を選択して前記入力端子に出力するセレクタ回路と、
前記セレクタ回路に接続され、当該セレクタ回路の出力を選択的に制御する切り替え制御手段と、
を備えることを特徴とする画像形成装置。
【請求項７】
前記切り替え制御手段は、前記論理ブロックと前記変更可能ブロックを置き換え可能に前記セレクタ回路を制御することを特徴とする請求項６記載の画像形成装置。
【請求項８】
前記切り替え制御手段は、前記論理ブロックの前、後、または間のうちいずれかに前記変更可能ブロックを挿入可能に前記セレクタ回路を制御することを特徴とする請求項６または７記載の画像形成装置。
【請求項９】
前記切り替え制御手段は、前記論理ブロックの接続順序を入れ替え可能に前記セレクタ回路を制御することを特徴とする請求項６から８のいずれかに記載の画像形成装置。
【請求項１０】
前記変更可能ブロックは、前記論理ブロックと同程度の規模であることを特徴とする請求項６から８のいずれかに記載の画像形成装置。
【手続補正３】
【補正対象書類名】明細書
【補正対象項目名】０００８
【補正方法】変更
【補正の内容】
【０００８】
本発明の課題は、設計の一部に変更やミスがあった場合に、回路を再利用して設計の変更やミスの修正を行うことができるＡＳＩＣ及び画像形成装置を提供することである。


【手続補正４】
【補正対象書類名】明細書
【補正対象項目名】００１０
【補正方法】変更
【補正の内容】
【００１０】
請求項１記載の発明は、
ブロック毎に処理が完結して実行される論理ブロックから構成されるＡＳＩＣであって、
前記論理ブロックに接続されるプログラム可能な変更可能ブロックと、
前記論理ブロックの入力端子、及び変更可能ブロックの入力端子に個別に接続され、入力された入力信号を選択して前記入力端子に出力するセレクタ回路と、
前記セレクタ回路に接続され、当該セレクタ回路の出力を選択的に制御する切り替え制御手段と、
を備えることを特徴としている。
請求項６記載の発明は、
ブロック毎に処理が完結して実行される論理ブロックから構成されるＡＳＩＣを備える画像形成装置であって、
前記論理ブロックに接続されるプログラム可能な変更可能ブロックと、
前記論理ブロックの入力端子、及び変更可能ブロックの入力端子に個別に接続され、入力された入力信号を選択して前記入力端子に出力するセレクタ回路と、
前記セレクタ回路に接続され、当該セレクタ回路の出力を選択的に制御する切り替え制御手段と、
を備えることを特徴としている。


【手続補正５】
【補正対象書類名】明細書
【補正対象項目名】００１１
【補正方法】変更
【補正の内容】
【００１１】
請求項２記載の発明は、請求項１記載の発明において、
前記切り替え制御手段は、前記論理ブロックと前記変更可能ブロックを置き換え可能に前記セレクタ回路を制御することを特徴としている。
請求項７記載の発明は、請求項６記載の発明において、
前記切り替え制御手段は、前記論理ブロックと前記変更可能ブロックを置き換え可能に前記セレクタ回路を制御することを特徴としている。


【手続補正６】
【補正対象書類名】明細書
【補正対象項目名】００１２
【補正方法】変更
【補正の内容】
【００１２】
請求項３記載の発明は、請求項１または２記載の発明において、
前記切り替え制御手段は、前記論理ブロックの前、後、または間のうちいずれかに前記変更可能ブロックを挿入可能に前記セレクタ回路を制御することを特徴としている。
請求項８記載の発明は、請求項６または７記載の発明において、
前記切り替え制御手段は、前記論理ブロックの前、後、または間のうちいずれかに前記変更可能ブロックを挿入可能に前記セレクタ回路を制御することを特徴としている。


【手続補正７】
【補正対象書類名】明細書
【補正対象項目名】００１３
【補正方法】変更
【補正の内容】
【００１３】
請求項４記載の発明は、請求項１から３のいずれかに記載の発明において、
前記切り替え制御手段は、前記論理ブロックの接続順序を入れ替え可能に前記セレクタ回路を制御することを特徴としている。
請求項９記載の発明は、請求項６から８のいずれかに記載の発明において、
前記切り替え制御手段は、前記論理ブロックの接続順序を入れ替え可能に前記セレクタ回路を制御することを特徴としている。


【手続補正８】
【補正対象書類名】明細書
【補正対象項目名】００１４
【補正方法】変更
【補正の内容】
【００１４】
請求項５記載の発明は、請求項１から３のいずれかに記載の発明において、
前記変更可能ブロックは、前記論理ブロックと同程度の規模であることを特徴としている。
請求項１０記載の発明は、請求項６から８のいずれかに記載の発明において、
前記変更可能ブロックは、前記論理ブロックと同程度の規模であることを特徴としている。


【手続補正９】
【補正対象書類名】明細書
【補正対象項目名】００５４
【補正方法】変更
【補正の内容】
【００５４】
【発明の効果】
請求項１または６記載の発明によれば、回路の機能が確定したＡＳＩＣであっても、ＡＳＩＣ全体を新たに作り直すことなく、回路の一部を変更することができる。これにより、ＡＳＩＣの製造にかかる手間、及び時間を省いて、コストを大幅に削減することができる。


【手続補正１０】
【補正対象書類名】明細書
【補正対象項目名】００５５
【補正方法】変更
【補正の内容】
【００５５】
請求項２または７記載の発明によれば、請求項１または６記載の発明の効果に加えて、回路の機能が確定したＡＳＩＣの一部に不良があった場合、容易に不良箇所を回避させて正常な機能を有する回路に修正することができる。


【手続補正１１】
【補正対象書類名】明細書
【補正対象項目名】００５６
【補正方法】変更
【補正の内容】
【００５６】
請求項３または８記載の発明によれば、請求項１、２、６または７のいずれかに記載の発明の効果に加えて、回路の機能が確定したＡＳＩＣの設計変更を行う場合、容易に新たな機能を追加することができる。これにより、技術の進歩に対応した機能を有するＡＳＩＣを迅速に提供することができる。


【手続補正１２】
【補正対象書類名】明細書
【補正対象項目名】００５７
【補正方法】変更
【補正の内容】
【００５７】
請求項４または９記載の発明によれば、請求項１から３、６から８のいずれかに記載の発明の効果に加えて、ＡＳＩＣ内における処理の順序を入れ替える、あるいは新たな機能を追加する場合等、自由度の高い設計変更をすることができる。


【手続補正１３】
【補正対象書類名】明細書
【補正対象項目名】００５８
【補正方法】変更
【補正の内容】
【００５８】
請求項５または１０記載の発明によれば、請求項１から３、６から８のいずれかに記載の発明の効果に加えて、変更可能ブロックに置き換えられた回路にかかる負荷を最小限に抑えることができる。また、不必要にＡＳＩＣのパッケージを大型化させることがない。